(57)【要約】  【課題】梯子の縦木を正弦曲線形状にして、梯子の長手方向より手前側に傾斜する部分をつくり、手の握りが強くなり、手が滑りにくくなる。【解決手段】縦木２は、正弦曲線形状（余弦曲線形状）をなし、この正弦波形状の凹んだ位置に横木５が連結され、各横木５の間の縦木２ははしご１を登る人に向かって凸出している。梯子１の縦木２の湾曲部分のうち、下凸部３ｂ及び／または上凹部４ａを握れば、この部分は梯子１の長手方向より手前側に傾斜、つまり梯子１を登る人の側に傾斜しているので、手の握りが強くなり、手が滑りにくくなる。  【選択図】図２
2007056616.tif 000002
【特許請求の範囲】
【請求項１】
正弦曲線形状または余弦曲線形状をなす少なくとも二本の縦木と、
この二本の縦木を複数箇所で連結する複数の横木とを備えたことを特徴とする梯子。
【請求項２】
上記縦木の正弦曲線形状または余弦曲線形状の周期は一定であり、この周期は等間隔の横木の間隔にほぼ一致しており、上記横木はほぼ直線状で、各横木はほぼ平行であることを特徴とする請求項１記載の梯子。
【請求項３】
上記梯子の人が登る側の方から見て、上記縦木の正弦曲線形状または余弦曲線形状の凹んだ位置に横木が連結され、各横木の間の縦木は凸出していることを特徴とする請求項１または２記載の梯子。
【請求項４】
上記縦木の正弦曲線形状または余弦曲線形状は、一平面内に沿って湾曲して形成される、若しくは円筒面または楕円筒面に沿って湾曲してほぼ螺旋状に形成されることを特徴とする請求項１、２または３記載の梯子。
【請求項５】
上記螺旋における横木に平行方向の正弦曲線形状または余弦曲線形状の振幅周期と横木及び縦木に直交方向の正弦曲線形状または余弦曲線形状の振幅周期とは、ともに横木の間隔にほぼ一致しており、  これら正弦曲線形状または余弦曲線形状の横木に平行方向に内にほぼ凹んだ位置に横木が連結され、各横木の間の縦木はほぼ凸出している、  またはこれら正弦曲線形状または余弦曲線形状の横木に平行方向に外にほぼ凸出した位置に横木が連結され、各横木の間の縦木はほぼ凹んでいることを特徴とする請求項４記載の梯子。
【請求項６】
上記梯子は、船舶、車両または航空機で使用されるタラップであることを特徴とする請求項１、２、３、４または５記載の梯子。
【発明の詳細な説明】
【技術分野】
【０００１】
本発明は、梯子（タラップ）に関する。
【背景技術】
【０００２】
従来の梯子は、縦に平行に伸びる二本のまっすぐな縦木に対して、この縦木の複数箇所を複数の横木で連結していた。また、梯子ではなく、階段の手すりを、正弦曲線形状または余弦曲線形状に湾曲させることは、以下の特許文献に記載されている。
【０００３】
【特許文献１】特許第３６６０２９２号公報
【特許文献２】特願２０００−３３６７７７号
【特許文献３】米国特許６８５７６２２号公報
【発明の開示】
【発明が解決しようとする課題】
【０００４】
従来の梯子は、縦木が直線的であったため、滑る危険性があった。例えば、屋外や海洋などで梯子を使うとき、雨や海水などで梯子の縦木が濡れると、この縦木を握ったとき手が滑る危険性があった。本発明の目的は、滑りにくい梯子を提供することである。
【課題を解決するための手段】
【０００５】
上記目的を達成するために、本発明は、正弦曲線形状または余弦曲線形状をなす少なくとも二本の縦木と、この二本の縦木を複数箇所で連結する複数の横木とを備えた。
【発明の効果】
【０００６】
これにより、梯子の縦木が正弦曲線形状または余弦曲線形状に湾曲するから、この縦木の湾曲部分のうち、手を握って縦木を引っ張る方向に対して直交する方向に近い部分を握れば、この握り部分は、梯子の長手方向より手前側に傾斜、つまり梯子を登る人の側に傾斜しているので、手の握りが強くなり、手が滑りにくくなる。
【発明を実施するための最良の形態】
【０００７】
（１）梯子（第１実施例）
図１は梯子１の第１実施例の正面を示し、図２は梯子１の第１実施例の側面を示し、図３は縦木２の第１実施例の断面を示す。これらの図面は梯子の一部のみを示すのもで、実際には上下に連続している。
【０００８】
梯子１（縦木１及び横木５）は、ステンレス製、チタン製、アルミ製、その他の金属製、樹脂製、木製、セラミック製、コンクリート製、またはこれらの複合体である。縦木１は円筒状または円柱状であり、外径（太さ）は例えば３４ｍｍであり、成人がちょうど握るのに最適な太さとされる。縦木２が円筒状の場合は、内径は例えば２８ｍｍである。梯子の使用者が未成人・障害者ならばこれに応じて外形も変更される。
【０００９】
この縦木２は、正弦曲線形状（「余弦曲線形状」も含む。以下同じ）をなしており、この正弦波の周期は縦木２の中心において２８３ｍｍであり、正弦波の振幅は縦木２の中心において２６ｍｍである。この正弦波の曲率半径は縦木２の中心において９３ｍｍ、縦木２の外側において１１０ｍｍ、縦木２の内側において７６ｍｍである。
【００１０】
この縦木２の正弦波形状の凹凸において、図２の右方に突出している部分を凸部３、左方に突出している部分（右方に凹んでいる部分）を凹部４という。凸部３の上半分を上凸部３ａ、凸部３の下半分を下凸部３ｂ、凹部４の上半分を上凹部４ａ、凹部４の下半分を下凹部４ｂという。この場合、図２において、縦木２の右側から人が登るものとする。
【００１１】
この正弦波の山と谷との間、つまり凸部３と凹部４との間、言い換えれば下凸部３ｂと上凹部４ａとの間、及び上凸部３ａと下凹部４ｂとの間には直線部６が形成されている。この直線部６の長さは５０乃至１５０ｍｍ、例えば９３ｍｍまたは１３０ｍｍであり、梯子１の使用用途によって、この直線部６の長さは変更される。これにより、上記滑り難くする握りの長さを変えることができる。
【００１２】
このような縦木２は二本起立され、上記凹部４の中心つまり上凹部４ａと下凹部４ｂとの間の各位置において、縦木２を互いに連結するように横木５が溶接などで固定されている。したがって、各横木５の各間隔は横木５の中心において２８３ｍｍとなる。これらの複数の横木５は、ほぼ直線状で互いにほぼ平行している。むろん、縦木２のように湾曲していても良い。
【００１３】
この横木５の長さは約２６６ｍｍ乃至３００ｍｍほどである。横木５は円筒状または円柱状であり、外径（太さ）は例えば２８ｍｍであり、成人がちょうど握るのに最適な太さとされる。横木５が円筒状の場合は、内径は例えば２２ｍｍである。梯子の使用者が未成人・障害者ならばこれに応じて外形も変更される。
【００１４】
上記の結果、梯子１の人が登る側の方から見て、上記縦木２正弦曲線形状または余弦曲線形状の凹んだ位置に横木５が連結され、各横木５の間の縦木２は凸出していることになる。また、上記縦木２の正弦曲線形状または余弦曲線形状の周期は一定であり、この周期は等間隔の横木の間隔にほぼ一致していることになる。
【００１５】
以上の結果、梯子１の縦木２の湾曲部分のうち、下凸部３ｂ及び／または上凹部４ａを握れば、この部分は手を握って縦木２を引っ張る方向に対して直交する方向に近い部分であり、しかもこの握り部分は、梯子１の長手方向より手前側に傾斜、つまり梯子１を登る人の側に傾斜しているので、手の握りが強くなり、手が滑りにくくなる。
【００１６】
上記縦木２の正弦波の周期の長さ、振幅の大きさ、曲率半径、外形（太さ）、内径、横木５の間隔、外形（太さ）、内径は、上記のものに限られず、任意の大きさに変更可能であり、握り易ければ何でもよい。また、上凸部３ａと下凸部３ｂとの間、上凹部４ａと下凹部４ｂとの間にも、直線部が所定長さ挿入されていてもよい。これにより、上記滑り難くする握りの間隔を変えることができる。また、上記直線部６は省略されてもよい。
【００１７】
（２）梯子（第２実施例）
図４は梯子１の第２実施例の正面を示し、図５は梯子１の第２実施例の側面を示し、図６は縦木１２の第２実施例の断面を示す。縦木１２は平板状であり、例えば奥行き５０ｍｍ、幅９ｍｍであり、成人がちょうど握るのに最適な太さとされる。
【００１８】
この縦木１２も、正弦曲線形状をなしており、この正弦波の周期は縦木２の中心において２８３ｍｍであり、正弦波の振幅は縦木２の中心において２６ｍｍである。この正弦波の曲率半径は縦木２の中心において９３ｍｍ、縦木２の外側において１１８ｍｍ、縦木２の内側において６８ｍｍである。他の構造、機能、作用、動作、効果は、上記第１実施例と同じである。
【００１９】
以上の結果、梯子１の縦木１２の湾曲部分のうち、下凸部３ｂ及び／または上凹部４ａを握れば、この部分は手を握って縦木２を引っ張る方向に対して直交する方向に近い部分であり、しかもこの握り部分は、梯子１の長手方向より手前側に傾斜、つまり梯子１を登る人の側に傾斜しているので、手の握りが強くなり、手が滑りにくくなる。
【００２０】
しかも、縦木１２は前後に延びる、つまり梯子１の長手方向及び横木５の長手方向にほぼ直交する方向に延びる、平板状なので、手を掛け易く、手が外れにくくなる。なお、この第２実施例の縦木１２は、左右に延びる、つまり梯子１の長手方向のほぼ直交し及び横木５の長手方向にほぼ平行する方向に延びてもよい。
【００２１】
（３）梯子（第３実施例）
図７は梯子１の第３実施例の正面を示し、図８は梯子１の第３実施例の側面を示し、図９は梯子１の第３実施例の平面を示す。縦木２２は円筒状または円柱状であり、外径（太さ）は例えば３４ｍｍであり、成人がちょうど握るのに最適な太さとされる。縦木２２が円筒状の場合は、内径は例えば２８ｍｍである。この縦木２２は、円筒面に沿って湾曲してほぼ螺旋状に形成されている。
【００２２】
この縦木２２の正弦曲線形状において、横木５に平行方向に内にほぼ凹んだ位置に横木５が連結され、各横木５間の縦木２２は外へほぼ凸出している。そうすると、図９に示すように、上凹部４ａ及び下凹部３ｂは、梯子１を登る人間に近づき、しかもこの握り部分は、梯子１の横木５より手前側に傾斜、つまり梯子１を登る人の側に傾斜し、しかもこの握り部分は外側に湾曲しているので、手の握りが強くなり、手が滑りにくくなる。
【００２３】
なお、図９において梯子１を登る人は図９の梯子１の下側に位置する。また、両側の一対の縦木２２の螺旋の向きは、図９において、右の縦木２２は右回転（時計回り）で上に進み、左の縦木２２は左回転（反時計回り）で上に進む螺旋構造となっていて、互いに左右対称となっており、鏡像関係にあり、同じ向きとはならない。
【００２４】
上記のことから、縦木２２の螺旋における横木５に平行方向の正弦曲線形状の振幅周期と横木５及び縦木２２に直交方向の正弦曲線形状の振幅周期とは、ともに横木５の間隔にほぼ一致することとなる。他の構造、機能、作用、動作、効果は、上記第１実施例または／及び第２実施例と同じである。
【００２５】
（４）梯子１の用途
本件梯子１は、ボート・小型船舶などの船舶用に取り付けられる梯子（タラップ）、ワゴン車・トラック・バスなどの車両に取り付けられる梯子（タラップ）、ヘリコプター・セスナ機などの航空機に取り付けられる梯子（タラップ）、その他の乗り物取り付けられる梯子（タラップ）、鉄塔、エレベータ、非常用梯子など、建造物に取り付けられる梯子（タラップ）、マンホール内、鉄塔、電柱、電線工事、電話線工事、水道工事、下水道工事、ガス工事、建築工事、土木工事などの種々の工事用・検査用の梯子（タラップ）など、種々の用途に使用される。
【００２６】
（５）他の実施の形態
本発明は、上記実施例に限定されず、種々変更可能である。例えば、上記第３実施例において、図９の縦木２２の螺旋の回転方向は逆向きになってもよい。この場合、上凹部４ａ及び下凹部３ｂは、梯子１を登る人間から遠ざかるが、この握り部分は、梯子１の横木５より手前側に傾斜、つまり梯子１を登る人の側に傾斜し、しかもこの握り部分は内側に湾曲しているので、握り位置が多少ずれても、手にかかる力はあまり変化せず、握りの力が安定する。
【００２７】
また、上記第３実施例において、図７の湾曲方向が逆になって、横木５に平行方向に外にほぼ凸出した位置に横木５が連結され、各横木５間の縦木２２は内へほぼ凹んでいてもよい。そうすると、上凹部４ａ及び下凹部３ｂは、横木５よりさらに、梯子１を登る人間により近づき、しかもこの握り部分は、梯子１の横木５より手前側に傾斜、つまり梯子１を登る人の側に傾斜し、しかもこの握り部分は外側に湾曲しているので、手の握りが強くなり、手が滑りにくくなる。この場合でも、縦木２２の螺旋の向きを逆にしてもよい。
【００２８】
さらに、上記縦木２２の螺旋は円筒面に沿って湾曲していたが、楕円筒面に沿って湾曲していてもよい。この螺旋の円筒面／楕円筒面の中心は、横木５の端から横木５に直交する方向でもよいし、横木５の延長方向でもよいし、これらの中間の斜め方向でもよいし、人が登る側に飛び出していてもよいし、人が登る側と反対側に飛び出していてもよい。
【００２９】
また、上記第１実施例または第２実施例では、縦木２、１２は、一平面内を正弦波状に湾曲していたが、この一平面は横木５の端から横木５に直交する方向でもよいし、横木５の延長方向でもよいし、これらの中間の斜め方向でもよいし、人が登る側に飛び出していてもよいし、人が登る側と反対側に飛び出していてもよい。
【００３０】
さらに縦木２、１２、２２の本数は二本だけでなく、三本以上でもよい。この場合、各縦木２、１２、２２の各間（各列）を横木５が架け渡される。そして、一部の列の横木５は、凹部４の谷ではなく、凸部３の山に設けられてもよい。
【００３１】
上記縦木２、１２、２２、横木５の断面形状は、円形、円筒形、板状（方形状）、楕円、多角形、凹みのある形、星形、Ｘ字状、Ｎ字状、Ｚ字状、Ｍ字状、Ｌ字状、Ｔ字状、Ｅ字状、Ｏ字状、Ｕ字状、Ｃ字状、Ｓ字状、ロ字状、エ字状、コ字状、＊字状、＃字状などでもよく、表面に滑り止めが形成されていてもよい。
【００３２】
上記梯子１の縦木２、１２、２２は、垂直方向に起立されるだけでなく、斜めに傾斜されていてもよく、４５度に傾斜されても、水平方向に寝かされてもよい。横木５の間隔は等間隔／一定間隔だけでなく、等間隔ではなく、不均一の間隔であってもよい。本件梯子１は折りたたみ式、伸縮式、連結延長式／分離分解式であってもよい。縦木２、１２、２２の湾曲部分には、手が握られるほか、係止するための手段・機構が連結されてもよいし、足が乗せられたり係止されたりしてもよい。
【００３３】
上記図面は梯子の一部のみを示すのもで、実際には上下に連続している。梯子１の縦木２、１２、２２の上端及び／または下端には、ゴムキャップなどの滑り止め部材が取り付けられていてもよい。
【００３４】
（６）他の発明の効果
[１]正弦曲線形状または余弦曲線形状をなす少なくとも二本の縦木と、  この二本の縦木を複数箇所で連結する複数の横木とを備えたことを特徴とする梯子。これにより、梯子の縦木が正弦曲線形状または余弦曲線形状に湾曲するから、この縦木の湾曲部分のうち、手を握って縦木を引っ張る方向に対して直交する方向に近い部分を握れば、この握り部分は、梯子の長手方向より手前側に傾斜、つまり梯子を登る人の側に傾斜しているので、手の握りが強くなり、手が滑りにくくなる。
【００３５】
[２]上記縦木の正弦曲線形状または余弦曲線形状の周期は一定であり、この周期は等間隔の横木の間隔にほぼ一致しており、上記横木はほぼ直線状で、各横木はほぼ平行であることを特徴とする請求項１記載の梯子。これにより、梯子の一段ずつに対応して、縦木の握り易い位置が配置されるので、梯子を登るのが容易になる。
【００３６】
[３]上記梯子の人が登る側の方から見て、上記縦木の正弦曲線形状または余弦曲線形状の凹んだ位置に横木が連結され、各横木の間の縦木は凸出していることを特徴とする請求項１または２記載の梯子。握り部分は、梯子の長手方向より手前側に傾斜、つまり梯子を登る人の側に傾斜するとともに、この傾斜部分が梯子を登る人に近づくので、縦木をより握り易くなる。
【００３７】
[４]上記縦木の正弦曲線形状または余弦曲線形状は、一平面内に沿って湾曲して形成される、若しくは円筒面または楕円筒面に沿って湾曲してほぼ螺旋状に形成されることを特徴とする請求項１、２または３記載の梯子。
【００３８】
これにより、一平面内に沿って湾曲していれば、縦木の製作が容易となる。また、円筒面または楕円筒面に沿って湾曲してほぼ螺旋状に形成されていれば、縦木の握る位置を、螺旋の手前として、梯子を登る人に近づけたり、螺旋の奥として、梯子を登る人から遠ざけたりできる。
【００３９】
[５]上記螺旋における横木に平行方向の正弦曲線形状または余弦曲線形状の振幅周期と横木及び縦木に直交方向の正弦曲線形状または余弦曲線形状の振幅周期とは、ともに横木の間隔にほぼ一致しており、  これら正弦曲線形状または余弦曲線形状の横木に平行方向に内にほぼ凹んだ位置に横木が連結され、各横木の間の縦木はほぼ凸出している、  またはこれら正弦曲線形状または余弦曲線形状の横木に平行方向に外にほぼ凸出した位置に横木が連結され、各横木の間の縦木はほぼ凹んでいることを特徴とする請求項４記載の梯子。
【００４０】
これにより、振幅周期が横木の間隔に一致すれば、梯子の一段ずつに対応して、縦木の握り易い位置が配置されるので、梯子を登るのが容易になる。また、横木の間の縦木が外に凸出していれば、横木のすぐ下を、登る人に向けて対向させ、握り易くすることができる。さらに、横木の間の縦木が内に凹んでいれば、横木のすぐ上を、登る人に向けて対向させ、握り易くすることができる。
【００４１】
[６]上記梯子は、船舶、車両または航空機で使用されるタラップであることを特徴とする請求項１、２、３、４または５記載の梯子。これにより、船舶や車両や航空機などで梯子から滑ることが大きな事故につながる場所で、梯子から滑る危険を少なくすることができる。
【００４２】
[７] 梯子の両側の一対の縦木の螺旋の向きは、一方は右回転（時計回り）で上に進み、他方は左回転（反時計回り）で上に進む螺旋構造となっていて、互いに左右対称となっており、鏡像関係にあり、同じ向きとはならないことを特徴とする請求項４または５記載の梯子。これにより、梯子を一段ずつ登るとき、左右の手にかかる力が安定し、梯子を登るとき左右にふらつくことがない。
【産業上の利用可能性】
【００４３】
梯子の縦木を正弦曲線形状にして、梯子の長手方向より手前側に傾斜する部分をつくり、手の握りが強くなり、手が滑りにくくなる。縦木２は、正弦曲線形状（余弦曲線形状）をなし、この正弦波形状の凹んだ位置に横木５が連結され、各横木５の間の縦木２ははしご１を登る人に向かって凸出している。梯子１の縦木２の湾曲部分のうち、下凸部３ｂ及び／または上凹部４ａを握れば、この部分は梯子１の長手方向より手前側に傾斜、つまり梯子１を登る人の側に傾斜しているので、手の握りが強くなり、手が滑りにくくなる。
【図面の簡単な説明】
【００４４】
【図１】梯子１の第１実施例の正面を示す。
【図２】梯子１の第１実施例の側面を示す。
【図３】縦木１の第１実施例の断面を示す。
【図４】梯子１の第２実施例の正面を示す。
【図５】梯子１の第２実施例の側面を示す。
【図６】縦木１２の第２実施例の断面を示す。
【図７】梯子１の第３実施例の正面を示す。
【図８】梯子１の第３実施例の側面を示す。
【図９】梯子１の第３実施例の平面を示す。
【符号の説明】
【００４５】
１…梯子、２…縦木、
３…凸部、３ａ…上凸部、３ｂ…下凸部、
４…凹部、４ａ…上凹部、４ｂ…下凹部、
５…横木、６…直線部、
１２…縦木、２２…縦木。
【図１】
2007056616.tif 000003
【図２】
2007056616.tif 000004
【図３】
2007056616.tif 000005
【図４】
2007056616.tif 000006
【図５】
2007056616.tif 000007
【図６】
2007056616.tif 000008
【図７】
2007056616.tif 000009
【図８】
2007056616.tif 000010
【図９】
2007056616.tif 000011